(57)【要約】【課題】入力光が無くなったときのミラー装置の制御の不具合を解消する。【解決手段】光スイッチは、入力光を入力する１つ以上の入力ポート１ａと、出力光を出力する１つ以上の出力ポート１ｂと、入力ポート１ａを出射した１つ以上の入力光を独立に偏向させて任意の出力ポート１ｂに選択的に入射させるマイクロミラー装置３ａ，３ｂと、入力光の有無を検知する入力光検知装置４と、出力ポート１ｂに入射した出力光のパワーを検知する出力光検知装置５と、出力光のパワーが最適値になるようにミラー装置３ａ，３ｂの偏向角を制御する制御装置６とを備える。制御装置６は、入力光検知装置４から入力光無しの通知を受けたときに、ミラー装置３ａ，３ｂの制御を中止する。【選択図】  図１
2008046449.tif 000002
【特許請求の範囲】
【請求項１】
入力光を入力する１つ以上の入力ポートと、
出力光を出力する１つ以上の出力ポートと、
前記入力ポートを出射した１つ以上の入力光を独立に偏向させて任意の前記出力ポートに選択的に入射させるミラー装置と、
前記入力光の有無を検知する入力光検知装置と、
前記出力ポートに入射した出力光のパワーを検知する出力光検知装置と、
前記出力光のパワーが最適値になるように前記ミラー装置の偏向角を制御する制御装置とを備えることを特徴とする光スイッチ。
【請求項２】
請求項１記載の光スイッチにおいて、
前記制御装置は、前記入力光検知装置から入力光無しの通知を受けたときに、前記ミラー装置の制御を中止することを特徴とする光スイッチ。
【請求項３】
請求項２記載の光スイッチにおいて、
前記制御装置は、前記入力光検知装置から入力光無しの通知を受けたときに、この通知を受ける直前の前記ミラー装置の偏向角を維持することを特徴とする光スイッチ。
【請求項４】
請求項２記載の光スイッチにおいて、
前記制御装置は、前記入力光検知装置から入力光無しの通知を受けたときに、前記ミラー装置の偏向角を初期値に戻すことを特徴とする光スイッチ。
【請求項５】
請求項１乃至４のいずれか１項に記載の光スイッチにおいて、
前記入力光検知装置は、前記１つ以上の入力ポートの各々に設けられることを特徴とする光スイッチ。
【請求項６】
請求項１乃至４のいずれか１項に記載の光スイッチにおいて、
前記入力光検知装置は、前記入力ポートと前記出力ポートとの間の光路から外れた位置に配置され、
前記制御装置は、前記入力光の有無を検査するときに、前記入力光が前記入力光検知装置に入射するよう前記ミラー装置の偏向角を制御することを特徴とする光スイッチ。
【請求項７】
入力光を入力する１つ以上の入力ポートと、出力光を出力する１つ以上の出力ポートと、前記入力ポートを出射した１つ以上の入力光を独立に偏向させて任意の前記出力ポートに選択的に入射させるミラー装置とを備えた光スイッチにおいて、前記ミラー装置の偏向角を制御するミラー制御方法であって、
前記入力光の有無を検知する入力光検知手順と、
前記出力ポートに入射した出力光のパワーを検知する出力光検知手順と、
前記出力光のパワーが最適値になるように前記ミラー装置の偏向角を制御し、前記入力光検知装置から入力光無しの通知を受けたときに、前記ミラー装置の制御を中止する制御手順とを備えることを特徴とするミラー制御方法。
【請求項８】
請求項７記載のミラー制御方法において、
前記制御手順は、前記入力光検知装置から入力光無しの通知を受けたときに、この通知を受ける直前の前記ミラー装置の偏向角を維持することを特徴とするミラー制御方法。
【請求項９】
請求項７記載のミラー制御方法において、
前記制御手順は、前記入力光検知装置から入力光無しの通知を受けたときに、前記ミラー装置の偏向角を初期値に戻すことを特徴とするミラー制御方法。
【請求項１０】
請求項７乃至９のいずれか１項に記載のミラー制御方法において、
前記入力光検知手順は、前記入力ポートと前記出力ポートとの間の光路から外れた位置で前記入力光の有無を検知し、
前記制御手順は、前記入力光の有無を検査するときに、前記入力光が前記入力光検知装置に入射するよう前記ミラー装置の偏向角を制御することを特徴とするミラー制御方法。
【発明の詳細な説明】
【技術分野】
【０００１】
本発明は、光スイッチおよびミラー制御方法に関するものである。
【背景技術】
【０００２】
光スイッチを実現するための技術の一つとして、マイクロミラーを用いたものが提案されている（例えば非特許文献１参照）。
図４は従来の光スイッチの構成例を示す斜視図である。図４において、１ａは入力ポート、１ｂは出力ポート、２ａは入力側マイクロミラーアレイ、２ｂは出力側マイクロミラーアレイである。入力ポート１ａと出力ポート１ｂは、それぞれ２次元的に配列された複数の光ファイバからなり、マイクロミラーアレイ２ａ，２ｂは、それぞれ２次元的に配列された複数のマイクロミラー装置３ａ，３ｂからなる。図４における矢印は光ビームの進行方向を示している。
【０００３】
ある入力ポート１ａから出射した光信号は、この入力ポート１ａに対応する入力側マイクロミラーアレイ２ａのマイクロミラー装置３ａにより反射偏向される。マイクロミラー装置３ａのミラーは２軸周りに回動可能なため、マイクロミラー装置３ａの反射光を出力側マイクロミラーアレイ２ｂの任意のマイクロミラー装置３ｂに向けることができる。マイクロミラー装置３ｂのミラーも同様に２軸周りに回動可能なため、ミラーの傾斜角を適当に制御することにより、マイクロミラー装置３ｂの反射光を対応する出力ポート１ｂに向けることができる。したがって、入力側マイクロミラーアレイ２ａと出力側マイクロミラーアレイ２ｂのミラーの傾斜角を適当に制御することにより、２次元的に配列された任意の入力ポート１ａと出力ポート１ｂとの間を接続することができ、光路の切り替えを行うことができる。
【０００４】
光スイッチの構成部品として最も特徴的なものがマイクロミラーアレイ２ａ，２ｂである。このマイクロミラーアレイ２ａ，２ｂを構成するマイクロミラー装置３ａ，３ｂは、例えば非特許文献１に開示されている。図５は、非特許文献１に開示されたマイクロミラー装置の構成を示す分解斜視図、図６は図５のマイクロミラー装置の断面図である。マイクロミラー装置は、ミラーが形成されたミラー基板２００と、電極が形成された電極基板３００とが平行に配設された構造を有する。
【０００５】
ミラー基板２００は、板状の枠部２１０と、枠部２１０の開口内に配設された可動枠２２０と、可動枠２２０の開口内に配設されたミラー２３０とを有する。枠部２１０、トーションバネ２１１ａ，２１１ｂ，２２１ａ，２２１ｂ、可動枠２２０およびミラー２３０は、例えば単結晶シリコンで一体形成されている。ミラー２３０の表面には例えば３層のＴｉ／Ｐｔ／Ａｕ層が形成されている。一対のトーションバネ２１１ａ，２１１ｂは、枠部２１０と可動枠２２０とを連結している。可動枠２２０は、一対のトーションバネ２１１ａ，２１１ｂを通る図５の可動枠回動軸ｘを軸として回動することができる。同様に、一対のトーションバネ２２１ａ，２２１ｂは、可動枠２２０とミラー２３０とを連結している。ミラー２３０は、一対のトーションバネ２２１ａ，２２１ｂを通る図５のミラー回動軸ｙを軸として回動することができる。可動枠回動軸ｘとミラー回動軸ｙとは、互いに直交している。結果として、ミラー２３０は、直交する２軸で回動する。
【０００６】
電極基板３００は、板状の基部３１０と、段丘状の突出部３２０とを有する。基部３１０と突出部３２０は例えば単結晶シリコンからなる。突出部３２０は、基部３１０の上面に形成された角錐台の形状を有する第２テラス３２２と、第２テラス３２２の上面に形成された角錐台の形状を有する第１テラス３２１と、第１テラス３２１の上面に形成された柱状の形状を有するピボット３３０とから構成される。突出部３２０の四隅とこの四隅に続く基部３１０の上面には、４つの電極３４０ａ〜３４０ｄが形成されている。また、基部３１０の上面には、突出部３２０を挟むように並設された一対の凸部３６０ａ，３６０ｂが形成されている。さらに、基部３１０の上面には、配線３７０が形成されており、この配線３７０には、引き出し線３４１ａ〜３４１ｄを介して電極３４０ａ〜３４０ｄが接続されている。なお、基部３１０の表面には酸化シリコン等からなる絶縁層３１１が形成されており、この絶縁層３１１の上に電極３４０ａ〜３４０ｄ、引き出し線３４１ａ〜３４１ｄ、配線３７０が形成されている。
【０００７】
以上のようなミラー基板２００と電極基板３００とは、ミラー２３０と電極３４０ａ〜３４０ｄとが対向配置されるように、枠部２１０の下面と凸部３６０ａ，３６０ｂの上面とを接合することにより、図６に示すようなマイクロミラー装置を構成する。このようなマイクロミラー装置においては、ミラー２３０を接地し、電極３４０ａ〜３４０ｄに正の駆動電圧を与えて、しかも電極３４０ａ〜３４０ｄ間に非対称な電位差を生じさせることにより、ミラー２３０を静電引力で吸引し、ミラー２３０を任意の方向へ回動させることができる。
【０００８】
【非特許文献１】T.Yamamoto，et al.，「A Three-Dimensional MEMS Optical Switching Module Having 100 Input and 100 Output Ports」，Photonics Technology Letters，IEEE，Vol.15，No.10，p.1360-1362
【発明の開示】
【発明が解決しようとする課題】
【０００９】
従来の光スイッチにおいてマイクロミラー装置３ａ，３ｂを制御する制御装置は、マイクロミラー装置３ａ，３ｂに駆動電圧を供給してミラー２３０に摂動（振動）を与え、駆動電圧と出力光のパワーとの関係を求めて、ミラー２３０の最適な傾斜角が得られる最適な駆動電圧（例えば出力光のパワーが最適値となる駆動電圧）を求めるのが一般的である。このような光スイッチにおいて、例えば光信号を発信する入力ポート１ａ側の光源が故障して入力光が無い状態になった場合、出力光も無くなるが、このような状態で制御装置が駆動電圧と出力光のパワーとの関係を求めると、的確な駆動電圧を生成できず、ミラー２３０を最適な角度に制御することができなくなる。場合によっては制御装置から過度の電圧を印加することによりマイクロミラー装置３ａ，３ｂを損傷する可能性があり、また本来の最適角度と大きく異なる角度にミラー２３０を駆動してしまい、入力光が復帰したときに本来の最適角度にミラー２３０を復帰させるのに時間を要する可能性があった。
【００１０】
本発明は、上記課題を解決するためになされたもので、入力光が無くなったときのミラー装置の制御の不具合を解消することができる光スイッチおよびミラー制御方法を提供することを目的とする。
【課題を解決するための手段】
【００１１】
本発明の光スイッチは、入力光を入力する１つ以上の入力ポートと、出力光を出力する１つ以上の出力ポートと、前記入力ポートを出射した１つ以上の入力光を独立に偏向させて任意の前記出力ポートに選択的に入射させるミラー装置と、前記入力光の有無を検知する入力光検知装置と、前記出力ポートに入射した出力光のパワーを検知する出力光検知装置と、前記出力光のパワーが最適値になるように前記ミラー装置の偏向角を制御する制御装置とを備えるものである。
また、前記制御装置は、前記入力光検知装置から入力光無しの通知を受けたときに、前記ミラー装置の制御を中止することを特徴とする。
また、前記制御装置は、前記入力光検知装置から入力光無しの通知を受けたときに、この通知を受ける直前の前記ミラー装置の偏向角を維持することを特徴とする。
また、前記制御装置は、前記入力光検知装置から入力光無しの通知を受けたときに、前記ミラー装置の偏向角を初期値に戻すことを特徴とする。
また、前記入力光検知装置は、前記１つ以上の入力ポートの各々に設けられるものである。
また、前記入力光検知装置は、前記入力ポートと前記出力ポートとの間の光路から外れた位置に配置され、前記制御装置は、前記入力光の有無を検査するときに、前記入力光が前記入力光検知装置に入射するよう前記ミラー装置の偏向角を制御するものである。
【００１２】
また、本発明は、入力光を入力する１つ以上の入力ポートと、出力光を出力する１つ以上の出力ポートと、前記入力ポートを出射した１つ以上の入力光を独立に偏向させて任意の前記出力ポートに選択的に入射させるミラー装置とを備えた光スイッチにおいて、前記ミラー装置の偏向角を制御するミラー制御方法であって、前記入力光の有無を検知する入力光検知手順と、前記出力ポートに入射した出力光のパワーを検知する出力光検知手順と、前記出力光のパワーが最適値になるように前記ミラー装置の偏向角を制御し、前記入力光検知装置から入力光無しの通知を受けたときに、前記ミラー装置の制御を中止する制御手順とを備えるものである。
また、本発明のミラー制御方法の１構成例において、前記制御手順は、前記入力光検知装置から入力光無しの通知を受けたときに、この通知を受ける直前の前記ミラー装置の偏向角を維持するようにしたものである。
また、本発明のミラー制御方法の１構成例において、前記制御手順は、前記入力光検知装置から入力光無しの通知を受けたときに、前記ミラー装置の偏向角を初期値に戻すようにしたものである。
また、本発明のミラー制御方法の１構成例において、前記入力光検知手順は、前記入力ポートと前記出力ポートとの間の光路から外れた位置で前記入力光の有無を検知し、前記制御手順は、前記入力光の有無を検査するときに、前記入力光が前記入力光検知装置に入射するよう前記ミラー装置の偏向角を制御するようにしたものである。
【発明の効果】
【００１３】
本発明によれば、入力光検知装置を設けることにより、入力光が無くなったときのミラー装置の制御の不具合を解消することができる。また、本発明では、出力光のパワーを最適値に制御できない場合に、この制御不能の原因が入力光にあるのかミラー装置にあるのかを特定することができる。
【００１４】
また、本発明では、入力光検知装置から入力光無しの通知を受けたときに、制御装置がミラー装置の制御を中止することにより、過度な駆動電圧の印加によるミラー装置の損傷を回避し、また入力光が復帰したときにミラー装置を最適な角度に復帰させるまでの所要時間を短縮することができる。
【００１５】
また、本発明では、入力光検知装置を入力ポートと出力ポートとの間の光路から外れた位置に配置し、制御装置が入力光の有無を検査するときに、入力光が入力光検知装置に入射するようミラー装置の偏向角を制御することにより、入力光検知装置を複数の入力ポートで共有して、入力光検知装置の数を減らすことができる。
【発明を実施するための最良の形態】
【００１６】
［第１の実施の形態］
以下、本発明の実施の形態について図面を参照して説明する。図１は本発明の第１の実施の形態に係る光スイッチの構成を示すブロック図であり、図４と同一の構成には同一の符号を付してある。図１において、４は入力光検知装置、５は出力光検知装置、６は制御装置である。
【００１７】
入力ポート１ａから出射した入力光は、入力側マイクロミラー装置３ａと出力側マイクロミラー装置３ｂのそれぞれのミラーにより反射され、出力ポート１ｂに入射する。出力光検知装置５は、出力ポート１ｂに入射した出力光のパワーを検出する。制御装置６は、出力光のパワーが最適な値になるように、マイクロミラー装置３ａ，３ｂのミラーを的確な角度に制御するための駆動電圧をマイクロミラー装置３ａ，３ｂ毎に生成して、生成した駆動電圧をマイクロミラー装置３ａ，３ｂに供給する。制御装置６は、マイクロミラー装置３ａ，３ｂのミラーに摂動（振動）を与え、駆動電圧と出力光のパワーとの関係を求めて、出力光の最適なパワーが得られる最適な駆動電圧を求めるのが一般的である。
出力光のパワーの最適値の設定方法には、以下の２通りがある。マイクロミラー装置３ａ，３ｂのミラーの傾斜角を制御すると、出力光のパワーはミラーの傾斜角に応じて変動し、ある傾斜角で光学的損失が最小となって極大値をとる。設定方法の１つは、この既知の極大値をパワーの最適値とする方法である。もう１つの方法は、可変減衰器の機能に対応する方法であり、システムから要求される所望の値を最適値とする方法である。
【００１８】
前述のとおり、入力光を発信する入力ポート１ａ側の光源（不図示）が故障して入力光が無い状態になった場合、出力光も無くなるが、このような状態で制御装置６が駆動電圧と出力光のパワーとの関係を求めると、的確な駆動電圧を生成することができない。場合によっては制御装置６から過度の電圧を印加することによりマイクロミラー装置３ａ，３ｂを損傷する可能性があり、また本来の最適角度と大きく異なる角度にミラーを駆動してしまい、入力光が復帰したときに本来の最適角度にミラーを復帰させるのに時間を要する可能性があった。
【００１９】
そこで、本実施の形態の入力光検知装置４は、入力ポート１ａ毎に設けられ、対応する入力ポート１ａから出射する入力光の有無を検知する。具体的には、入力光検知装置４は、入力光の平均光量が所定のしきい値以上であるか否かを常時監視し、入力光の平均光量がしきい値以上の場合は入力光有りと判定し、平均光量がしきい値より小さい場合は入力光無しと判定する。そして、入力光検知装置４は、制御装置６に監視情報、例えば入力光の有無を示す２値の情報を送る。このような入力光検知装置４の構成例としては、入力光の一部を切り出して、フォトダイオードなどの受光素子で入力光のパワーを検知する構成が考えられる。
【００２０】
制御装置６は、入力光検知装置４からの監視情報に基づいて、ミラー制御に起こりうる不具合を解消する。すなわち、制御装置６は、入力光検知装置４からの監視情報が入力光無しを示している場合、駆動電圧の更新を中止して、入力光無しの監視情報を受ける直前にマイクロミラー装置３ａ，３ｂに出力していた駆動電圧を維持する。これにより、マイクロミラー装置３ａ，３ｂのミラーは、入力光無しの状態になる直前の傾斜角を維持したまま停止する。
【００２１】
あるいは、制御装置６は、入力光検知装置４からの監視情報が入力光無しを示している場合、マイクロミラー装置３ａ，３ｂに供給する駆動電圧を０Ｖにする。これにより、マイクロミラー装置３ａ，３ｂのミラーは、初期位置（図６における水平位置）に戻る。
駆動電圧の更新を中止あるいは駆動電圧を０Ｖにした制御装置６は、入力光検知装置４からの監視情報が入力光有りを示す状態に復帰したときに、最適な駆動電圧の生成を再開する。
【００２２】
以上のように、本実施の形態では、入力光検知装置４を設けることにより、入力光が無くなったときのミラー制御の不具合を解消することができる。本実施の形態によれば、過度な駆動電圧の印加によるマイクロミラー装置３ａ，３ｂの損傷を回避し、また入力光が復帰したときにマイクロミラー装置３ａ，３ｂのミラーを最適な角度に復帰させるまでの所要時間を短縮することができる。
【００２３】
また、図４に示した従来の光スイッチでは、出力光のパワーを最適値に制御できない場合に、この制御不能の原因が入力光にあるのかマイクロミラー装置３ａ，３ｂにあるのかを特定することができなかったが、本実施の形態によれば、制御装置６は、制御不能の原因が入力光にあるのかマイクロミラー装置３ａ，３ｂにあるのかを特定することができる。すなわち、入力光検知装置４からの監視情報が入力光無しを示している場合には入力光に原因があり、入力光が有るにも拘わらず、出力光のパワーを最適値に制御できない場合にはマイクロミラー装置３ａ，３ｂに原因があることになる。
【００２４】
［第２の実施の形態］
次に、本発明の第２の実施の形態について説明する。図２は本発明の第２の実施の形態に係る光スイッチの構成を示す斜視図であり、図１、図４と同一の構成には同一の符号を付してある。本実施の形態は、第１の実施の形態のように入力ポートに入力光検知装置を設ける代わりに、出力側マイクロミラーアレイ２ｂに入力光検知装置４を配置したものである。その他の構成は第１の実施の形態と同様であるので、図１の符号を用いて本実施の形態の光スイッチの動作を説明する。
【００２５】
本実施の形態の制御装置６は、出力光検知装置５で検出される出力光のパワーが最適な値にならない場合、通常のミラー制御を中止して、この出力光の基になる入力光の光路上にある入力側マイクロミラー装置３ａを制御し、図２に示すように該当する入力光が出力側マイクロミラーアレイ２ｂ上の入力光検知装置４に向かうようにする。
【００２６】
第１の実施の形態と同様に、入力光検知装置４は、入力光の有無を検知して、入力光の有無を示す監視情報を出力する。
制御装置６は、入力側マイクロミラー装置３ａを制御して入力光が入力光検知装置４に向かうようにしたにも拘わらず、入力光検知装置４からの監視情報が入力光無しを示している場合、駆動電圧の更新を中止するかあるいは駆動電圧を０Ｖにする。
【００２７】
こうして、本実施の形態においても、第１の実施の形態と同様の効果を得ることができる。また、第１の実施の形態では、入力ポート１ａ（入力光ファイバ）と同数の入力光検知装置４が必要となるが、本実施の形態では入力光検知装置４を複数の入力ポート１ａで共有することができ、入力光検知装置４を最小１つまで減らすことができる。
【００２８】
［第３の実施の形態］
次に、本発明の第３の実施の形態について説明する。図３は本発明の第３の実施の形態に係る波長選択スイッチの構成を示すブロック図である。本実施の形態は、光スイッチの一種である波長選択スイッチ（Wavelength Selective Switch:WSS）に本発明を適用したものである。図３において、７は入力ポート、８ａ，８ｂは出力ポート、９はマイクロミラーアレイ、１１は主レンズ、１２は反射型回折格子、１３は平行化レンズ、１４は入力ポート７に設けられた入力光検知装置、１５ａ，１５ｂはそれぞれ出力ポート８ａ，８ｂに設けられた出力光検知装置、１６は制御装置である。マイクロミラーアレイ９は、１次元的に配列された複数のマイクロミラー装置１０ａ，１０ｂ，１０ｃからなる。
【００２９】
入力ポート７は、波長が異なる複数の光信号が多重化された波長多重光信号１７を主レンズ１１に向かって射出する。主レンズ１１を通過した波長多重光信号１７は、反射型回折格子１２に入射する。反射型回折格子１２に入射した波長多重光信号１７は、反射型回折格子１２で反射され、波長が異なる複数の光信号１８ａ，１８ｂ，１８ｃに分波される。分波された各光信号１８ａ，１８ｂ，１８ｃは、再び主レンズ１１を通って、それぞれ所定のマイクロミラー装置１０ａ，１０ｂ，１０ｃに入射する。
【００３０】
各光信号１８ａ，１８ｂ，１８ｃは、それぞれ対応するマイクロミラー装置１０ａ，１０ｂ，１０ｃのミラーで反射された後、平行化レンズ１３によって平行化された光信号１９ａ，１９ｂ，１９ｃとなり、主レンズ１１を通って反射型回折格子１２に入射する。そして、各光信号１９ａ，１９ｂ，１９ｃは、反射型回折格子１２で反射された後、再び主レンズ１１を通って複数の出力ポート８ａ，８ｂのうちのいずれか１つの出力ポートに入射する。図３の例では、マイクロミラー装置１０ａ，１０ｃで反射された光信号１９ａ，１９ｃが出力ポート８ａに入射し、マイクロミラー装置１０ｂで反射された光信号１９ｂが出力ポート８ｂに入射している。
【００３１】
このように、入力ポート７からの波長多重光信号１７を反射型回折格子１２に入射させて複数の光信号に分波した後、分波した各光信号を対応するマイクロミラー装置１０ａ，１０ｂ，１０ｃのミラーに入射させ、このときに各ミラーの向きを制御手段１６によって適宜制御することで、一つの波長の光信号あるいは波長が異なる複数の光信号から構成される光信号の組を一つあるいは複数組抽出して、各組毎に合波して所望の出力ポート８ａ，８ｂに入射させることができる。
【００３２】
各マイクロミラー装置１０ａ，１０ｂ，１０ｃの構成は、第１の実施の形態のマイクロミラー装置３ａ，３ｂと同じである。
第１の実施の形態と同様に、入力光検知装置１４は、入力ポート７から出射する入力光の有無を検知し、各出力光検知装置１５ａ，１５ｂは、対応する出力ポート８ａ，８ｂに入射した出力光のパワーを検出する。
【００３３】
第１の実施の形態と同様に、制御装置１６は、出力光のパワーが最適な値になるように、マイクロミラー装置１０ａ，１０ｂ，１０ｃのミラーを的確な角度に制御するための駆動電圧をマイクロミラー装置１０ａ，１０ｂ，１０ｃ毎に生成して、生成した駆動電圧をマイクロミラー装置１０ａ，１０ｂ，１０ｃに供給する。
前述のとおり、図３の例では、マイクロミラー装置１０ａ，１０ｃで反射された光信号が出力ポート８ａに入射し、マイクロミラー装置１０ｂで反射された光信号が出力ポート８ｂに入射する。したがって、制御装置１６は、出力光検知装置１５ａで検出された出力光のパワーが最適値になるようにマイクロミラー装置１０ａ，１０ｃの駆動電圧を生成し、出力光検知装置１５ｂで検出された出力光のパワーが最適値になるようにマイクロミラー装置１０ｂの駆動電圧を生成することになる。
【００３４】
また、制御装置１６は、入力光検知装置１４からの監視情報が入力光無しを示している場合、駆動電圧の更新を中止して、入力光無しの監視情報を受ける直前にマイクロミラー装置１０ａ，１０ｂ，１０ｃに出力していた駆動電圧を維持するか、あるいはマイクロミラー装置１０ａ，１０ｂ，１０ｃに供給する駆動電圧を０Ｖにする。駆動電圧の更新を中止あるいは駆動電圧を０Ｖにした制御装置１６は、入力光検知装置１４からの監視情報が入力光有りを示す状態に復帰したときに、最適な駆動電圧の生成を再開する。
こうして、本実施の形態によれば、波長選択スイッチにおいて、第１の実施の形態と同様の効果を得ることができる。
【００３５】
なお、図３では、出力ポートは２ポート、マイクロミラー装置は３個で構成されているが、本発明は出力ポートのポート数ないしはマイクロミラー装置の個数で限定されるものではない。望ましい形態の例としては、マイクロミラー装置の数は、入力ポートより入力される光信号の波長数と同数であり、かつ出力ポート数は前記波長数以下とすればよい。
【産業上の利用可能性】
【００３６】
本発明は、光スイッチに適用することができる。
【図面の簡単な説明】
【００３７】
【図１】本発明の第１の実施の形態に係る光スイッチの構成を示すブロック図である。
【図２】本発明の第２の実施の形態に係る光スイッチの構成を示す斜視図である。
【図３】本発明の第３の実施の形態に係る波長選択スイッチの構成を示すブロック図である。
【図４】従来の光スイッチの構成例を示す斜視図である。
【図５】マイクロミラー装置の構成を示す分解斜視図である。
【図６】図５のマイクロミラー装置の断面図である。
【符号の説明】
【００３８】
１ａ，７…入力ポート、１ｂ，８ａ，８ｂ…出力ポート、２ａ，２ｂ，９…マイクロミラーアレイ、３ａ，３ｂ，１０ａ，１０ｂ，１０ｃ…マイクロミラー装置、４，１４…入力光検知装置、５，１５ａ，１５ｂ…出力光検知装置、６，１６…制御装置、１１…主レンズ、１２…反射型回折格子、１３…平行化レンズ。
【図１】
2008046449.tif 000003
【図２】
2008046449.tif 000004
【図３】
2008046449.tif 000005
【図４】
2008046449.tif 000006
【図５】
2008046449.tif 000007
【図６】
2008046449.tif 000008